(57)【要約】【課題】パケットデータの使用する通信帯域を容易に制御する。【解決手段】端末１０１とネットワーク１０３との間を流れるパケットデータが使用する通信帯域と当該パケットデータの宛先情報とを含む当該パケットデータについてのトラフィック情報を収集するネットワーク機器１０２にて収集されたトラフィック情報に基づいて、ネットワーク機器１０２に接続された監視装置１０４にて、宛先情報と当該監視装置に予め記憶された宛先情報とが一致し、ネットワーク機器にて収集された宛先情報を有するパケットデータの通信帯域が、予め記憶された宛先情報に対応付けられて予め記憶された通信帯域閾値を超える場合、その通信帯域を宛先情報に対応付けられて予め記憶された制限通信帯域に設定され、設定された通信帯域に基づいたＱｏＳ情報がネットワーク機器に設定される。【選択図】図１
2007235813.tif 000002
【特許請求の範囲】
【請求項１】
ネットワーク上を流れるパケットデータが使用する通信帯域と当該パケットデータの送信先及び送信元の情報である第１の宛先情報とを含む該パケットデータについてのトラフィック情報を収集するネットワーク機器と、該ネットワーク機器にて収集された前記トラフィック情報に基づいて前記通信帯域を監視する監視装置とを有するネットワーク帯域制御システムにおいて、
前記監視装置は、前記第１の宛先情報と当該監視装置に予め記憶された第２の宛先情報とが一致し、前記ネットワーク機器にて収集された前記第１の宛先情報を有するパケットデータの通信帯域が、前記第２の宛先情報に対応付けられて予め記憶された通信帯域閾値を超える場合、前記通信帯域を前記第２の宛先情報に対応付けられて予め記憶された制限通信帯域に設定し、前記第１の宛先情報を第３の宛先情報として前記制限通信帯域と対応付けて帯域制御実施状況記憶手段に記憶し、前記設定された通信帯域に基づいたＱｏＳ情報を前記ネットワーク機器に設定することを特徴とするネットワーク帯域制御システム。
【請求項２】
請求項１に記載のネットワーク帯域制御システムにおいて、
前記監視装置は、前記第１の宛先情報と当該監視装置に予め記憶された第４の宛先情報とが一致した場合、前記第１の宛先情報を有するパケットデータについて通信帯域を制限しないことを特徴とするネットワーク帯域制御システム。
【請求項３】
請求項１に記載のネットワーク帯域制御システムにおいて、
前記監視装置は、前記第１の宛先情報と前記第３の宛先情報とが一致し、前記第１の宛先情報を有するパケットデータの通信帯域が前記第３の宛先情報に対応付けられて記憶された前記制限通信帯域を下回った場合、前記帯域制御実施状況記憶手段に記憶された前記第３の宛先情報と前記制限通信帯域とを当該帯域制御実施状況記憶手段から削除し、前記ネットワーク機器に設定されたＱｏＳ情報を解除することを特徴とするネットワーク帯域制御システム。
【請求項４】
ネットワーク上を流れるパケットデータが使用する通信帯域と当該パケットデータの送信先及び送信元の情報である第１の宛先情報とを含む該パケットデータについてのトラフィック情報を収集するネットワーク機器にて収集された前記トラフィック情報に基づいて前記通信帯域を監視する監視装置であって、
前記第１の宛先情報と当該監視装置に予め記憶された第２の宛先情報とが一致し、前記ネットワーク機器にて収集された前記第１の宛先情報を有するパケットデータの通信帯域が、前記第２の宛先情報に対応付けられて予め記憶された通信帯域閾値を超える場合、前記通信帯域を前記第２の宛先情報に対応付けられて予め記憶された制限通信帯域に設定し、前記第１の宛先情報を第３の宛先情報として前記制限通信帯域と対応付けて帯域制御実施状況記憶手段に記憶し、前記設定された通信帯域に基づいたＱｏＳ情報を前記ネットワーク機器に設定する監視装置。
【請求項５】
請求項４に記載の管理装置において、
前記第１の宛先情報と当該監視装置に予め記憶された第４の宛先情報とが一致した場合、前記第１の宛先情報を有するパケットデータについて通信帯域を制限しないことを特徴とする監視装置。
【請求項６】
請求項４に記載の監視装置において、
前記第１の宛先情報と前記第３の宛先情報とが一致し、前記第１の宛先情報を有するパケットデータの通信帯域が前記第３の宛先情報に対応付けられて記憶された前記制限通信帯域を下回った場合、前記帯域制御実施状況記憶手段に記憶された前記第３の宛先情報と前記制限通信帯域とを当該帯域制御実施状況記憶手段から削除し、前記ネットワーク機器に設定されたＱｏＳ情報を解除することを特徴とする監視装置。
【請求項７】
ネットワーク上を流れるパケットデータが使用する通信帯域と当該パケットデータの送信先及び送信元の情報である第１の宛先情報とを含む該パケットデータについてのトラフィック情報を収集するネットワーク機器と、該ネットワーク機器にて収集された前記トラフィック情報に基づいて前記通信帯域を監視する監視装置とを有するネットワーク帯域制御システムにおけるネットワーク帯域制御方法であって、
前記監視装置が、前記第１の宛先情報と当該監視装置に予め記憶された第２の宛先情報とが一致し、前記ネットワーク機器にて収集された前記第１の宛先情報を有するパケットデータの通信帯域が、前記第２の宛先情報に対応付けられて予め記憶された通信帯域閾値を超える場合、前記通信帯域を前記第２の宛先情報に対応付けられて予め記憶された制限通信帯域に設定する処理と、
前記監視装置が、前記第１の宛先情報を第３の宛先情報として前記制限通信帯域と対応付けて帯域制御実施状況記憶手段に記憶する処理と、
前記設定された通信帯域に基づいたＱｏＳ情報を前記ネットワーク機器に設定する処理とを有するネットワーク帯域制御方法。
【請求項８】
請求項７に記載のネットワーク帯域制御方法において、
前記監視装置が、前記第１の宛先情報と当該監視装置に予め記憶された第４の宛先情報とが一致した場合、前記第１の宛先情報を有するパケットデータについて通信帯域を制限する対象から除く処理を有することを特徴とするネットワーク帯域制御方法。
【請求項９】
請求項７に記載のネットワーク帯域制御方法において、
前記監視装置が、前記第１の宛先情報と前記第３の宛先情報とが一致し、前記第１の宛先情報を有するパケットデータの通信帯域が前記第３の宛先情報に対応付けられて記憶された前記制限通信帯域を下回った場合、前記帯域制御実施状況記憶手段に記憶された前記第３の宛先情報と前記制限通信帯域とを当該帯域制御実施状況記憶手段から削除する処理と、
前記監視装置が、前記第１の宛先情報と前記第３の宛先情報とが一致し、前記第１の宛先情報を有するパケットデータの通信帯域が前記第３の宛先情報に対応付けられて記憶された前記制限通信帯域を下回った場合、前記ネットワーク機器に設定されたＱｏＳ情報を解除する処理とを有することを特徴とするネットワーク帯域制御方法。
【発明の詳細な説明】
【技術分野】
【０００１】
本発明は、ネットワーク上を流れるパケットデータの帯域を制御するネットワーク帯域制御システム、管理装置及びネットワーク帯域制御方法に関する。
【背景技術】
【０００２】
近年、ネットワーク上にて、ユーザがお互いにファイルを転送するために、ＷｉｎＭＸやＷｉｎｎｙなどのＰ２Ｐ（Ｐｅｅｒ  Ｔｏ  Ｐｅｅｒ）ファイル交換ソフトが利用されてきている。そのＰ２Ｐソフトを使用して交換するファイルは容量が大きい場合が多く、それにより、ネットワーク帯域の圧迫が生じてしまい、特にキャリア等では深刻な問題となっている。
【０００３】
そこで、流通しているパケットデータの中身を解析することによりＰ２Ｐソフトのトラフィックであることを判断し、当該パケットデータを遮断または帯域制御する方法が考えられている。
【０００４】
また、ネットワークの負荷に応じてパケットデータを複数経路へ分散する方法が考えられている（例えば、特許文献１参照。）。
【特許文献１】特開２００２−２４７０８７号公報
【発明の開示】
【発明が解決しようとする課題】
【０００５】
しかしながら、流通しているパケットデータの中身に基づいて遮断または帯域制御する方法については、Ｐ２Ｐソフト側の変更によりパケットデータの形式が変更された場合や、新たなＰ２Ｐソフトへ変更された場合は対応できないという問題点がある。また、ＩＳＰ（Ｉｎｔｅｒｎｅｔ  Ｓｅｒｖｉｃｅ  Ｐｒｏｖｉｄｅｒ）では、パケットデータの中身を見ること自体に倫理上の抵抗がある場合も多い。さらに、使用帯域をポートごとに制御しようとしても、ネットワーク機器にポート番号を指定して帯域制御を行うことは不可能であるという問題点がある。
【０００６】
また、特許文献１に記載の方法においては、経路が複数存在しない場合の帯域制御については考慮されていない。
【０００７】
本発明は、上述したような従来の技術が有する問題点に鑑みてなされたものであって、パケットデータの使用する通信帯域を容易に制御することができるネットワーク帯域制御システム、管理装置及びネットワーク帯域制御方法を提供することを目的とする。
【課題を解決するための手段】
【０００８】
上記目的を達成するために本発明は、
ネットワーク上を流れるパケットデータが使用する通信帯域と当該パケットデータの送信先及び送信元の情報である第１の宛先情報とを含む該パケットデータについてのトラフィック情報を収集するネットワーク機器と、該ネットワーク機器にて収集された前記トラフィック情報に基づいて前記通信帯域を監視する監視装置とを有するネットワーク帯域制御システムにおいて、
前記監視装置は、前記第１の宛先情報と当該監視装置に予め記憶された第２の宛先情報とが一致し、前記ネットワーク機器にて収集された前記第１の宛先情報を有するパケットデータの通信帯域が、前記第２の宛先情報に対応付けられて予め記憶された通信帯域閾値を超える場合、前記通信帯域を前記第２の宛先情報に対応付けられて予め記憶された制限通信帯域に設定し、前記第１の宛先情報を第３の宛先情報として前記制限通信帯域と対応付けて帯域制御実施状況記憶手段に記憶し、前記設定された通信帯域に基づいたＱｏＳ情報を前記ネットワーク機器に設定することを特徴とする。
【０００９】
また、前記監視装置は、前記第１の宛先情報と当該監視装置に予め記憶された第４の宛先情報とが一致した場合、前記第１の宛先情報を有するパケットデータについて通信帯域を制限しないことを特徴とする。
【００１０】
また、前記監視装置は、前記第１の宛先情報と前記第３の宛先情報とが一致し、前記第１の宛先情報を有するパケットデータの通信帯域が前記第３の宛先情報に対応付けられて記憶された前記制限通信帯域を下回った場合、前記帯域制御実施状況記憶手段に記憶された前記第３の宛先情報と前記制限通信帯域とを当該帯域制御実施状況記憶手段から削除し、前記ネットワーク機器に設定されたＱｏＳ情報を解除することを特徴とする。
【００１１】
また、ネットワーク上を流れるパケットデータが使用する通信帯域と当該パケットデータの送信先及び送信元の情報である第１の宛先情報とを含む該パケットデータについてのトラフィック情報を収集するネットワーク機器にて収集された前記トラフィック情報に基づいて前記通信帯域を監視する監視装置であって、
前記第１の宛先情報と当該監視装置に予め記憶された第２の宛先情報とが一致し、前記ネットワーク機器にて収集された前記第１の宛先情報を有するパケットデータの通信帯域が、前記第２の宛先情報に対応付けられて予め記憶された通信帯域閾値を超える場合、前記通信帯域を前記第２の宛先情報に対応付けられて予め記憶された制限通信帯域に設定し、前記第１の宛先情報を第３の宛先情報として前記制限通信帯域と対応付けて帯域制御実施状況記憶手段に記憶し、前記設定された通信帯域に基づいたＱｏＳ情報を前記ネットワーク機器に設定する。
【００１２】
また、前記第１の宛先情報と当該監視装置に予め記憶された第４の宛先情報とが一致した場合、前記第１の宛先情報を有するパケットデータについて通信帯域を制限しないことを特徴とする。
【００１３】
また、前記第１の宛先情報と前記第３の宛先情報とが一致し、前記第１の宛先情報を有するパケットデータの通信帯域が前記第３の宛先情報に対応付けられて記憶された前記制限通信帯域を下回った場合、前記帯域制御実施状況記憶手段に記憶された前記第３の宛先情報と前記制限通信帯域とを当該帯域制御実施状況記憶手段から削除し、前記ネットワーク機器に設定されたＱｏＳ情報を解除することを特徴とする。
【００１４】
また、ネットワーク上を流れるパケットデータが使用する通信帯域と当該パケットデータの送信先及び送信元の情報である第１の宛先情報とを含む該パケットデータについてのトラフィック情報を収集するネットワーク機器と、該ネットワーク機器にて収集された前記トラフィック情報に基づいて前記通信帯域を監視する監視装置とを有するネットワーク帯域制御システムにおけるネットワーク帯域制御方法であって、
前記監視装置が、前記第１の宛先情報と当該監視装置に予め記憶された第２の宛先情報とが一致し、前記ネットワーク機器にて収集された前記第１の宛先情報を有するパケットデータの通信帯域が、前記第２の宛先情報に対応付けられて予め記憶された通信帯域閾値を超える場合、前記通信帯域を前記第２の宛先情報に対応付けられて予め記憶された制限通信帯域に設定する処理と、
前記監視装置が、前記第１の宛先情報を第３の宛先情報として前記制限通信帯域と対応付けて帯域制御実施状況記憶手段に記憶する処理と、
前記設定された通信帯域に基づいたＱｏＳ情報を前記ネットワーク機器に設定する処理とを有する。
【００１５】
また、前記監視装置が、前記第１の宛先情報と当該監視装置に予め記憶された第４の宛先情報とが一致した場合、前記第１の宛先情報を有するパケットデータについて通信帯域を制限する対象から除く処理を有することを特徴とする。
【００１６】
また、前記監視装置が、前記第１の宛先情報と前記第３の宛先情報とが一致し、前記第１の宛先情報を有するパケットデータの通信帯域が前記第３の宛先情報に対応付けられて記憶された前記制限通信帯域を下回った場合、前記帯域制御実施状況記憶手段に記憶された前記第３の宛先情報と前記制限通信帯域とを当該帯域制御実施状況記憶手段から削除する処理と、
前記監視装置が、前記第１の宛先情報と前記第３の宛先情報とが一致し、前記第１の宛先情報を有するパケットデータの通信帯域が前記第３の宛先情報に対応付けられて記憶された前記制限通信帯域を下回った場合、前記ネットワーク機器に設定されたＱｏＳ情報を解除する処理とを有することを特徴とする。
【００１７】
上記のように構成された本発明においては、ネットワーク上を流れるパケットデータが使用する通信帯域と当該パケットデータの送信先及び送信元の情報である第１の宛先情報とを含む当該パケットデータについてのトラフィック情報を収集するネットワーク機器にて収集されたトラフィック情報に基づいて、ネットワーク機器に接続された監視装置にて、第１の宛先情報と当該監視装置に予め記憶された第２の宛先情報とが一致し、ネットワーク機器にて収集された第１の宛先情報を有するパケットデータの通信帯域が、第２の宛先情報に対応付けられて予め記憶された通信帯域閾値を超える場合、その通信帯域に第２の宛先情報に対応付けられて予め記憶された制限通信帯域が設定され、設定された通信帯域に基づいたＱｏＳ情報がネットワーク機器に設定される。
【００１８】
これにより、パケットデータのユーザデータ部を解析することなく、パケットデータの宛先情報のみに基づいて当該パケットデータが使用する通信帯域を制限することができる。
【発明の効果】
【００１９】
以上説明したように本発明においては、ネットワーク上を流れるパケットデータが使用する通信帯域と当該パケットデータの送信先及び送信元の情報である第１の宛先情報とを含む当該パケットデータについてのトラフィック情報を収集するネットワーク機器にて収集されたトラフィック情報に基づいて、ネットワーク機器に接続された監視装置にて、第１の宛先情報と当該監視装置に予め記憶された第２の宛先情報とが一致し、ネットワーク機器にて収集された第１の宛先情報を有するパケットデータの通信帯域が、第２の宛先情報に対応付けられて予め記憶された通信帯域閾値を超える場合、その通信帯域に第２の宛先情報に対応付けられて予め記憶された制限通信帯域を設定し、設定された通信帯域に基づいたＱｏＳ情報をネットワーク機器に設定する構成としたため、パケットデータの使用する通信帯域を容易に制御することができる。
【発明を実施するための最良の形態】
【００２０】
以下に、本発明の実施の形態について図面を参照して説明する。
【００２１】
図１は、本発明のネットワーク帯域制御システムの実施の一形態を示す図である。
【００２２】
本形態は図１に示すように、端末１０１と、ネットワーク機器１０２と、ネットワーク１０３と、管理装置１０４とから構成されている。
【００２３】
端末１０１は、ユーザが使用する端末である。ネットワーク機器１０２は、端末１０１がネットワーク１０３へ送信するパケットデータを経由し、また、端末１０１がネットワーク１０３から受信するパケットデータを経由し、端末１０１とネットワーク１０３との間に流れるパケットデータについてのトラフィック情報を収集する。管理装置１０４は、ネットワーク機器１０２にて経由されたパケットデータのトラフィックを監視し、監視されたトラフィックに応じてパケットデータが使用する通信帯域を制限する。
【００２４】
図２は、図１に示した管理装置１０４の一構成例を示す図である。
【００２５】
図１に示した管理装置１０４は図２に示すように、トラフィック情報入力部２０１と、トラフィック情報記録部２０２と、トラフィック情報記憶部２０３と、帯域制御方針記憶部２０４と、帯域制御実施状況記憶部２０５と、帯域制御部２０６と、帯域制御実行部２０７とから構成されている。
【００２６】
トラフィック情報入力部２０１は、図１に示したネットワーク機器１０２からトラフィック情報を定期的に入手する。トラフィック情報記録部２０２は、トラフィック情報入力部２０１にて入手されたトラフィック情報をトラフィック情報記憶部２０３に記録する。
トラフィック情報記憶部２０３は、トラフィック情報記録部２０２によって記録されたトラフィック情報を記憶する。帯域制御方針記憶部２０４は、帯域制限を行う対象のトラフィック情報を予め記憶する。帯域制御実施状況記憶部２０５は、現在行っている帯域制御の状況を記憶する。帯域制御部２０６は、トラフィック情報記憶部２０３に記憶されている情報と帯域制御方針記憶部２０４に記憶されている情報と帯域制御実施状況記憶部２０５に記憶されている情報とに基づいて、帯域制御または帯域制御解除の命令を発行する。帯域制御実行部２０７は、帯域制御部２０６にて発行された命令に基づいて、ネットワーク機器１０２に対してＱｏＳ（Ｑｕａｌｉｔｙ  ｏｆ  Ｓｅｒｖｉｃｅ）情報の設定または解除を行う。
【００２７】
以下に、上記のように構成されたネットワーク帯域制御システムにおけるネットワーク帯域制御方法について説明する。
【００２８】
図３は、図２に示した構成を有する管理装置１０４を含む図１に示したネットワーク帯域制御システムにおけるネットワーク帯域制御方法を説明するためのフローチャートである。
【００２９】
トラフィック情報入力部２０１にて、ネットワーク機器１０２にて収集されたトラフィック情報が、定期的にネットワーク機器１０２から入手される（ステップＳ１）。ここでのトラフィック情報の入手手段については、ＳＮＭＰ（Ｓｉｍｐｌｅ  Ｎｅｔｗｏｒｋ  Ｍａｎａｇｅｍｅｎｔ  Ｐｒｏｔｏｃｏｌ）を用いたＲＭＯＮ（Ｒｅｍｏｔｅ  ｎｅｔｗｏｒｋ  ＭＯＮｉｔｏｒｉｎｇ）やｓＦｌｏｗ（ＲＦＣ３１７６に記載）やＣｉｓｃｏ社のＮｅｔＦｌｏｗ等の従来から使用されている入手手段が考えられる。
【００３０】
トラフィック情報入力部２０１にてトラフィック情報が入手されると、入手されたトラフィック情報が、トラフィック情報記録部２０２によってトラフィック情報記憶部２０３に記憶される（ステップＳ２）。
【００３１】
図４は、トラフィック情報記憶部２０３に記憶されたトラフィック情報の一例を示す図である。
【００３２】
図４に示したトラフィック情報記憶部２０３に記憶されたトラフィック情報は、当該パケットデータの通信プロトコルがＴＣＰであるかＵＤＰであるかを示す種別と、送信元のＩＰアドレスと、送信元のポート番号と、送信先のＩＰアドレスと、送信先のポート番号との第１の宛先情報と、現在使用している通信帯域とが対応付けられており、それぞれにシーケンシャルにトラフィック番号が付与されている。
【００３３】
入手されたトラフィック情報が、トラフィック情報記録部２０２によってトラフィック情報記憶部２０３に記憶されると、帯域制御方針記憶部２０４に予め記憶された情報の中に、当該トラフィック情報と一致するものがあるかどうかが帯域制御部２０６によって検索される（ステップＳ３）。
【００３４】
図５は、帯域制御方針記憶部２０４に記憶された帯域制限を行うパケットデータの情報の一例を示す図である。
【００３５】
図５に示した帯域制御方針記憶部２０４に記憶された情報は、制御対象のパケットデータの通信プロトコルがＴＣＰであるかＵＤＰであるかを示す種別と、送信元のＩＰアドレスと、送信元のポート番号と、送信先のＩＰアドレスと、送信先のポート番号との第２の宛先情報と、帯域の制限を開始するための帯域閾値である通信帯域閾値と、通信帯域閾値を超えた場合に通信帯域として設定される帯域である制限通信帯域とが対応付けられており、それぞれにシーケンシャルにトラフィック番号が付与されている。例えば、トラフィック番号「１」の情報については、通信プロトコルがＴＣＰであり、且つ送信元ポート番号が「７７４３」であるパケットデータの通信帯域が１０Ｍｂｐｓを超えた場合、通信帯域を５Ｍｂｐｓに制限するものである。また、トラフィック番号「２」の情報については、通信プロトコルがＴＣＰであり、且つ送信先ポート番号が「７７４３」であるパケットデータの通信帯域が１０Ｍｂｐｓを超えた場合、通信帯域を５Ｍｂｐｓに制限するものである。また、トラフィック番号「３」の情報については、通信プロトコルがＵＤＰであるパケットデータの通信帯域が３０Ｍｂｐｓを超えた場合、通信帯域を１５Ｍｂｐｓに制限するものである。また、トラフィック番号「４」の情報については、通信プロトコルがＴＣＰであるパケットデータの通信帯域が３０Ｍｂｐｓを超えた場合、通信帯域を１０Ｍｂｐｓに制限するものである。
【００３６】
さらに、帯域制限を行わない、つまり帯域制限除外のパケットデータの情報についても、帯域制御方針記憶部２０４に記憶される。
【００３７】
図６は、帯域制御方針記憶部２０４に記憶された帯域制限除外のパケットデータの情報の一例を示す図である。
【００３８】
図６に示した帯域制御方針記憶部２０４に記憶された情報は、帯域制限を行わないパケットデータの通信プロトコルがＴＣＰであるかＵＤＰであるかを示す種別と、送信元のＩＰアドレスと、送信元のポート番号と、送信先のＩＰアドレスと、送信先のポート番号との第４の宛先情報がそれぞれ対応付けられており、それぞれにシーケンシャルに制御除外番号が付与されている。例えば、制御除外番号「１」の情報については、通信プロトコルがＴＣＰであり、且つ送信元ポート番号が「７７４３」であり、且つ送信先ポート番号が「２０」であるパケットデータについては帯域制限をしないことを示すものである。また、制御除外番号「２」の情報については、通信プロトコルがＴＣＰであり、且つ送信先ポート番号が「８０」であるパケットデータについては帯域制限をしないことを示すものである。また、制御除外番号「３」の情報については、通信プロトコルがＴＣＰであり、且つ送信元ポート番号が「８０」であるパケットデータについては帯域制限をしないことを示すものである。
【００３９】
ステップＳ３の検索の結果、帯域制御方針記憶部２０４に予め記憶された情報の中に、トラフィック情報記録部２０２によってトラフィック情報記憶部２０３に記憶されたトラフィック情報と一致するものがある場合、トラフィック情報記憶部２０３に記憶されたトラフィック情報の通信帯域が、帯域制御方針記憶部２０４に予め記憶された情報の通信帯域閾値を超えているかどうかが判断される（ステップＳ４）。
【００４０】
トラフィック情報記憶部２０３に記憶されたトラフィック情報の通信帯域が、帯域制御方針記憶部２０４に予め記憶された情報の通信帯域閾値を超えていると判断された場合、当該パケットデータが帯域制限除外データかどうかが帯域制御部２０６によって判断される（ステップＳ５）。
【００４１】
当該パケットデータが帯域制限除外データではないと判断された場合、帯域制御方針記憶部２０４に予め記憶された情報の制限通信帯域に設定するための帯域制限命令が帯域制御部２０６にて発行され、発行された帯域制限命令が帯域制御実行部２０７へ出力される（ステップＳ６）。
【００４２】
そして、帯域制限された情報が帯域制御実施状況記憶部２０５に記憶される（ステップＳ７）。
【００４３】
図７は、帯域制御実施状況記憶部２０５に記憶された情報の一例を示す図である。
【００４４】
図７に示した帯域制御実施状況記憶部２０５に記憶された情報は、帯域制限されたパケットデータの通信プロトコルがＴＣＰであるかＵＤＰであるかを示す種別と、送信元のＩＰアドレスと、送信元のポート番号と、送信先のＩＰアドレスと、送信先のポート番号との第３の宛先情報と、制限されて現在使用している通信帯域とが対応付けられており、それぞれにシーケンシャルにトラフィック番号が付与されている。
【００４５】
その後、帯域制御部２０６から帯域制御実行部２０７へ出力された帯域制限命令に基づいて、帯域制御実行部２０７によってネットワーク機器１０２に対してＱｏＳ情報の設定が行われる（ステップＳ８）。
【００４６】
一方、ステップＳ４にて、トラフィック情報記憶部２０３に記憶されたトラフィック情報の通信帯域が、帯域制御方針記憶部２０４に予め記憶された情報の通信帯域閾値を超えていないと判断された場合、当該通信帯域が帯域制御方針記憶部２０４に予め記憶された情報の制限通信帯域を下回っているかどうかが帯域制御部２０６によって判断される（ステップＳ９）。
【００４７】
当該通信帯域が帯域制御方針記憶部２０４に予め記憶された情報の制限通信帯域を下回っていると判断された場合、当該パケットデータの情報が帯域制御実施状況記憶部２０５にすでに記憶されているかどうかが帯域制御部２０６によって判断される（ステップＳ１０）。
【００４８】
当該パケットデータの情報が帯域制御実施状況記憶部２０５にすでに記憶されていると判断された場合、実施されている制限を解除するための帯域制限解除命令が帯域制御部２０６にて発行され、発行された帯域制限解除命令が帯域制御実行部２０７へ出力される（ステップＳ１１）。
【００４９】
そして、帯域制限が解除されたパケットデータの情報が帯域制御実施状況記憶部２０５から削除される（ステップＳ１２）。
【００５０】
その後、帯域制御部２０６から帯域制御実行部２０７へ出力された帯域制限解除命令に基づいて、帯域制御実行部２０７によってネットワーク機器１０２に対してＱｏＳ情報の解除が行われる（ステップＳ１３）。
【００５１】
一方、ステップＳ３の検索の結果、帯域制御方針記憶部２０４に予め記憶された情報の中に、トラフィック情報記録部２０２によってトラフィック情報記憶部２０３に記憶されたトラフィック情報と一致するものがない場合は、処理は終了する。
【００５２】
また、ステップＳ５にて、当該パケットデータが帯域制限除外データであると判断された場合は、処理は終了する。
【００５３】
また、ステップＳ９にて、通信帯域が帯域制御方針記憶部２０４に予め記憶された情報の制限通信帯域を下回っていないと判断された場合は、処理は終了する。
【００５４】
また、ステップＳ１０にて、当該パケットデータの情報が帯域制御実施状況記憶部２０５にまだ記憶されていないと判断された場合は、処理は終了する。
【００５５】
ステップＳ８におけるネットワーク機器１０２に対するＱｏＳ情報の設定、及びステップＳ１３におけるネットワーク機器１０２に対するＱｏＳ情報の解除の方法については、ネットワーク機器１０２のコンフィグレーションを書き換える方法や、ＳＮＭＰによる従来の設定などが考えられる。
【００５６】
以下に、上述したステップＳ３からステップＳ８までの処理について、さらなる具体例を挙げて説明する。ここでは、ネットワーク機器１０２からトラフィック情報入力部２０１にて入手され、トラフィック情報記憶部２０３に記憶されたトラフィック情報が図４に示したトラフィック番号「１」である場合を例に挙げる。
【００５７】
図４に示したトラフィック番号「１」であるパケットデータの情報が、図５に示した帯域制御方針記憶部２０４に記憶されている情報と比較される。比較の順序は、図５に示したトラフィック番号の若い番号から比較される。
【００５８】
まず、トラフィック番号「１」の情報と比較すると、送信元ポート番号が異なるため、一致しないと判断される。次に、トラフィック番号「２」の情報と比較すると、すべての情報が同じであるため一致したと判断される。
【００５９】
そして、現在の通信帯域が１２Ｍｂｐｓであるのに対して、通信帯域閾値が１０Ｍｂｐｓであるため、帯域制限の候補に挙げられる。
【００６０】
その後、当該パケットデータが図６に示した帯域制限除外データではないと判断され、通信帯域を１２Ｍｂｐｓから５Ｍｂｐｓへ制限するための帯域制限命令が発行される。
【００６１】
そして、当該パケットデータのトラフィック情報が図７に示した帯域制御実施状況記憶部２０５のトラフィック番号「１」に追加される。
【００６２】
なお、他のトラフィック番号のトラフィック情報についても、上述した処理と同様の処理が行われることは言うまでもない。
【００６３】
また、上述した例においては、ネットワーク機器１０２から入手されたトラフィック情報に基づいて、その入手された際に、通信帯域を制限するかどうかが判断されているが、保護段数を設け、ある一定の回数や時間において通信帯域を制限するかどうかが判断されるものであっても良い、つまり、例えば、１分間に渡り通信帯域が通信帯域閾値を超えたと判断された場合に、通信帯域が制限されるものであっても良い。
【図面の簡単な説明】
【００６４】
【図１】本発明のネットワーク帯域制御システムの実施の一形態を示す図である。
【図２】図１に示した管理装置の一構成例を示す図である。
【図３】図２に示した構成を有する管理装置を含む図１に示したネットワーク帯域制御システムにおけるネットワーク帯域制御方法を説明するためのフローチャートである。
【図４】トラフィック情報記憶部に記憶されたトラフィック情報の一例を示す図である。
【図５】帯域制御方針記憶部に記憶された帯域制限を行うパケットデータの情報の一例を示す図である。
【図６】帯域制御方針記憶部に記憶された帯域制限除外のパケットデータの情報の一例を示す図である。
【図７】帯域制御実施状況記憶部に記憶された情報の一例を示す図である。
【符号の説明】
【００６５】
１０１    端末
１０２    ネットワーク機器
１０３    ネットワーク
１０４    管理装置
２０１    トラフィック情報入力部
２０２    トラフィック情報記録部
２０３    トラフィック情報記憶部
２０４    帯域制御方針記憶部
２０５    帯域制御実施状況記憶部
２０６    帯域制御部
２０７    帯域制御実行部
【図１】
2007235813.tif 000003
【図２】
2007235813.tif 000004
【図３】
2007235813.tif 000005
【図４】
2007235813.tif 000006
【図５】
2007235813.tif 000007
【図６】
2007235813.tif 000008
【図７】
2007235813.tif 000009